(57)【要約】【課題】製造コストを抑えた構成でＳＤＩ信号の監視を可能としつつ、当該監視の結果を有効に活用することが可能となる信号処理装置を提供する。【解決手段】ＳＤＩ信号を出力する外部装置に接続され、前記外部装置への電源供給、および、前記外部機器からの前記ＳＤＩ信号の入力受付を行う信号処理装置であって、ダイオードを用いて前記ＳＤＩ信号の検波を行う検波回路と、前記検波により検出された前記ＳＤＩ信号のレベルに応じて、前記電源供給を停止させる供給停止部と、を備えた信号処理装置とする。【選択図】図３
2015065538.tif 000002
【特許請求の範囲】
【請求項１】
ＳＤＩ信号を出力する外部装置に接続され、前記外部装置への電源供給、および、前記外部機器からの前記ＳＤＩ信号の入力受付を行う信号処理装置であって、
ダイオードを用いて前記ＳＤＩ信号の検波を行う検波回路と、
前記検波により検出された前記ＳＤＩ信号のレベルに応じて、前記電源供給を停止させる供給停止部と、
を備えたことを特徴とする信号処理装置。
【請求項２】
前記供給停止部は、
前記検出されたレベルが所定の基準レベルを下回った場合に、前記電源供給を停止させることを特徴とする請求項１に記載の信号処理装置。
【請求項３】
複数の前記外部装置に接続され、前記外部装置ごとに前記電源供給および前記入力受付を行う請求項２に記載の信号処理装置であって、
前記外部装置ごとに対応する前記検波回路の各々が備えられ、
前記供給停止部は、
何れかの前記外部装置に対応する前記検出されたレベルが前記基準レベルを下回った場合に、当該外部装置に対応する前記電源供給を停止させることを特徴とする信号処理装置。
【請求項４】
前記検出されたレベルに応じた表示を行う表示部を、備えたことを特徴とする請求項１から請求項３の何れかに記載の信号処理装置。
【請求項５】
前記検出されたレベルに応じて前記ＳＤＩ信号を増幅させる増幅部を、備えたことを特徴とする請求項１から請求項４の何れかに記載の信号処理装置。
【請求項６】
請求項１から請求項５の何れかに記載の信号処理装置と、
同軸ケーブルを用いて前記信号処理装置に接続される前記外部装置と、を備え、
前記同軸ケーブルを、前記電源供給と前記ＳＤＩ信号の伝送に共用することを特徴とする信号処理システム。
【請求項７】
前記外部装置は、
撮像して得られた画像情報を含む前記ＳＤＩ信号を、前記信号処理装置へ出力することを特徴とする請求項６に記載の信号処理システム。
【発明の詳細な説明】
【技術分野】
【０００１】
本発明は、ＳＤＩ［Serial Digital Interface］信号を処理する信号処理装置、およびこれを備えた信号処理システムに関する。
【背景技術】
【０００２】
従来、ＳＤＩ信号を処理する信号処理装置、およびこれを備えた信号処理システムが利用されている。ＳＤＩ信号は、高速シリアル・インターフェース規格であるＳＤＩ規格に準拠した信号である。またＳＤＩ信号は、基本的に非圧縮の高周波信号であり、例えば画像情報等を伝送するための信号として用いられる。
【０００３】
上記の信号処理システムによれば、圧縮処理や伸長処理による信号の伝送遅延や劣化を抑えることが可能である。このような利点を活かして、当該信号処理システムは、監視カメラを備える遠隔監視システムなどにも適用され始めている。
【先行技術文献】
【特許文献】
【０００４】
【特許文献１】特開２０００−２６９８７３号公報
【発明の概要】
【発明が解決しようとする課題】
【０００５】
ＳＤＩ信号を処理する信号処理装置としては、入力されるＳＤＩ信号のレベルの監視（以下、単に「ＳＤＩ信号の監視」と称することがある）を行う機能を備えたものもある。しかし従来のこのような信号処理装置は、ＳＤＩ信号の監視のために比較的高価なＩＣ等が必要であり、製造コストを抑えることが難しいという問題がある。またＳＤＩ信号の監視結果は、出来るだけ有効に活用されることが望ましいと言える。
【０００６】
本発明は上述した問題点に鑑み、製造コストを抑えた構成でＳＤＩ信号の監視を可能としつつ、当該監視の結果を有効に活用することが可能となる信号処理装置、およびこれを備えた信号処理システムの提供を目的とする。
【課題を解決するための手段】
【０００７】
本発明に係る信号処理装置は、ＳＤＩ信号を出力する外部装置に接続され、前記外部装置への電源供給、および、前記外部機器からの前記ＳＤＩ信号の入力受付を行う信号処理装置であって、ダイオードを用いて前記ＳＤＩ信号の検波を行う検波回路と、前記検波により検出された前記ＳＤＩ信号のレベルに応じて、前記電源供給を停止させる供給停止部と、を備えた構成とする。
【０００８】
本構成によれば、製造コストを抑えた構成でＳＤＩ信号の監視を可能としつつ、当該監視の結果を有効に活用することが可能となる。なおここでのＳＤＩ信号は、どの種類のＳＤＩ信号であるか（ＳＤ−ＳＤＩ信号、ＨＤ−ＳＤＩ信号、および３Ｇ−ＳＤＩ信号等のうちの何れであるか）を問わないものとする。
【０００９】
また上記構成としてより具体的には、前記供給停止部は、前記検出されたレベルが所定の基準レベルを下回った場合に、前記電源供給を停止させる構成としてもよい。本構成によれば、例えば、外部装置の故障等の異常が生じたときに電源供給を停止させ、省電力や安全性を向上させることが可能となる。
【００１０】
また複数の前記外部装置に接続され、前記外部装置ごとに前記電源供給および前記入力受付を行う上記構成の信号処理装置において、前記外部装置ごとに対応する前記検波回路の各々が備えられ、前記供給停止部は、何れかの前記外部装置に対応する前記検出されたレベルが前記基準レベルを下回った場合に、当該外部装置に対応する前記電源供給を停止させる構成としてもよい。
【００１１】
また上記構成としてより具体的には、前記検出されたレベルに応じた表示を行う表示部を備えた構成としてもよい。本構成によれば、ユーザは当該表示を見ることにより、検出信号レベルに関する情報を知ることが可能となる。
【００１２】
また上記構成としてより具体的には、前記検出されたレベルに応じて前記ＳＤＩ信号を増幅させる増幅部を備えた構成としてもよい。本構成によれば、ＳＤＩ信号のレベルを適切に増幅させることが容易となる。
【００１３】
また本発明に係る信号処理システムは、上記構成の信号処理装置と、同軸ケーブルを用いて前記信号処理装置に接続される前記外部装置と、を備え、前記同軸ケーブルを、前記電源供給と前記ＳＤＩ信号の伝送に共用する構成とする。また本構成としてより具体的には、前記外部装置は、撮像して得られた画像情報を含む前記ＳＤＩ信号を、前記信号処理装置へ出力する構成としてもよい。
【発明の効果】
【００１４】
本発明に係る信号処理装置によれば、製造コストを抑えた構成でＳＤＩ信号の監視を可能としつつ、当該監視の結果を有効に活用することが可能となる。また本発明に係る信号処理システムによれば、本発明に係る信号処理装置の利点を享受することが可能となる。
【図面の簡単な説明】
【００１５】
【図１】本実施形態に係る遠隔監視システムの構成図である。
【図２】レコーダーおよびモニターの設置に関する説明図である。
【図３】第１実施形態に係る信号処理部およびその周辺の構成図である。
【図４Ａ】ＳＤＩ信号検波回路およびその周辺の回路構成に関する説明図である。
【図４Ｂ】ＳＤＩ信号検波回路およびその周辺の回路構成に関する説明図である。
【図５】第１実施形態に係る信号レベル監視動作のフローチャートである。
【図６】表示部の一形態に関する説明図である。
【図７】表示部の他の形態に関する説明図である。
【図８】第２実施形態に係る信号処理部およびその周辺の構成図である。
【図９】第２実施形態に係る信号レベル監視動作のフローチャートである。
【発明を実施するための形態】
【００１６】
本発明の実施形態について、第１および第２実施形態を例に挙げて、以下に説明する。
【００１７】
１．第１実施形態
［遠隔監視システムの全体構成］
まず第１実施形態について説明する。図１は、本実施形態に係る遠隔監視システムＸの構成図である。本図に示すように遠隔監視システムＸは、カメラ（監視カメラ）１、カメラドライブ２、レコーダー３、モニター４、および同軸ケーブル５を備えている。
【００１８】
なおカメラドライバ２は、４個のカメラ１に対応可能となるようにｃｈ１〜ｃｈ４の各チャンネル（ｃｈ）が設定されている。図１等に示される引用符の添え字は、ｃｈ１〜ｃｈ４の何れに対応するものであるかを表している。但し以降の説明において、各チャンネルに対応するものを総称する場合には、引用符の添え字を省略する。また図１に示す通り、カメラ１および同軸ケーブル５は、チャンネルごとに設けられている。
【００１９】
カメラ１は、撮像部１１、電源分離部１２、信号ラインＬｓ１、および電源ラインＬｂ１を備えており、同軸ケーブル５を介してカメラドライブ２（入力端子ＴＡ）に接続されている。また撮像部１１は、信号ラインＬｓ１と電源ラインＬｂ１を介して、電源分離部１２に接続されている。
【００２０】
撮像部１１は、撮像素子等を有しており、被写体を撮像して得られた画像情報を含むＳＤＩ信号を生成して出力する。撮像部１１から出力されたＳＤＩ信号は、信号ラインＬｓ１、電源分離部１２、および同軸ケーブル５を経由して、カメラドライブ２に出力される。なお撮像部１１が生成して出力するＳＤＩ信号は、ＳＤＩ規格に準拠した各種信号（ＳＤ−ＳＤＩ信号、ＨＤ−ＳＤＩ信号、および３Ｇ−ＳＤＩ信号など）のうちの何れであっても構わない。
【００２１】
電源分離部１２は、同軸ケーブル５に重畳されている直流電力Ｅ（後述する通り、カメラドライブ２から供給される電力）を分離し、電源ラインＬｂ１を介して撮像部１１に供給する。撮像部１１は、電源分離部１２から供給された直流電力Ｅを、駆動用電源として利用する。なお上記のように同軸ケーブル５は、カメラドライブ２からカメラ１への電源供給と、カメラ１からカメラドライブ２へのＳＤＩ信号の伝送に共用される。
【００２２】
カメラドライブ２は、入力端子ＴＡ、出力端子ＴＢ、信号処理部２１、電源部２２、制御部２３、および表示部２４を備えており、カメラ１への電源供給およびカメラ１からのＳＤＩ信号の入力受付を行う。なお入力端子ＴＡ、出力端子ＴＢ、および信号処理部２１については、チャンネルごとに設けられている。
【００２３】
入力端子ＴＡは、カメラ１との接続に用いられる端子であり、同チャンネルのカメラ１からＳＤＩ信号が入力されることになる。出力端子ＴＢは、レコーダー３との接続に用いられる端子である。各チャンネルの入力端子ＴＡと出力端子ＴＢは、同チャンネルの信号処理部２１を介して互いに接続されており、入力端子ＴＡに入力されたＳＤＩ信号は、信号処理部２１を介して出力端子ＴＢから出力される。
【００２４】
信号処理部２１は、入力端子ＴＡに入力されたＳＤＩ信号に対して、所定の処理を施すように構成されている。信号処理部２１のより詳細な構成については、改めて説明する。
【００２５】
電源部２２は、カメラ１の電源となる直流電力Ｅを出力するように構成されている。電源部２２は、例えば、交流電力を直流電力に変換する機能を有しており、商用の交流電力を用いて直流電力Ｅを生成する。なお電源部２２は、カメラドライブ２の各部へ電源供給を行う役割を兼ねていても良い。
【００２６】
制御部２３は、例えばマイクロコンピュータであり、カメラドライブ２が適切に動作するように各部を制御する。また制御部２３は、各チャンネルの信号処理部２１から検波信号ＳＡを受けるとともに、各チャンネルの信号処理部２１へ遮断信号ＳＢを送出するように構成されている。なお検波信号ＳＡおよび遮断信号ＳＢの内容や用途等については、後述の説明により明らかとなる。
【００２７】
表示部２４は、制御部２３の指示に従った表示を行うように構成されている。表示部２４の具体的な構成や表示内容等については、改めて説明する。
【００２８】
レコーダー３は、カメラドライブ２から入力される各チャンネルのＳＤＩ信号に対して、所定の信号変換処理を実行し、処理済みの信号をモニター４へ出力する。この信号変換処理の内容は、モニター４において適切な画像表示が可能となるように設定されている。
【００２９】
モニター４は、レコーダー３から入力された信号に基づいて、各チャンネルのカメラ１により得られた撮像画像を表示させる。モニター４は、例えばモニター画面の４分割表示により、ｃｈ１〜ｃｈ４の各撮像画像をリアルタイムに表示させる。なおカメラドライブ２とレコーダー３の接続、およびレコーダー３とモニター４の接続には、基本的に同軸ケーブルが用いられる。
【００３０】
なおレコーダー３およびモニター４は、図２に示すように、チャンネルごとに設けられていても良い。この場合、各レコーダー３は、同チャンネルの出力端子ＴＢに接続され、カメラドライブ２から入力される同チャンネルのＳＤＩ信号に対して信号変換処理を実行し、処理済みの信号を同チャンネルのモニター４へ出力する。また各モニター４は、入力された信号に基づいて、同チャンネルのカメラ１により得られた撮像画像を表示させる。またレコーダー３およびモニター４の配置形態は上記のものに限られず、例えば、レコーダー３とモニター４の何れか一方がチャンネルごとに設けられるようにし、他方は一つだけが設けられる（一つの機器が各チャンネルの処理を纏めて行う）ようにしても良い。
【００３１】
［信号処理部の構成］
次に信号処理部２１の詳細な構成について説明する。図３は、信号処理部２１およびその周辺の構成図である。信号処理部２１は、電源スイッチ２１１、電源挿入部２１２、フィルター２１３、オペアンプ２１４、およびＳＤＩ信号検波回路２１５を備えている。
【００３２】
電源スイッチ２１１は、電源部２２と電源挿入部２１２を結ぶ電源ラインＬｂ２上に設けられている。電源スイッチ２１１は、通常は導通状態（電源ラインＬｂ２を導通させる状態）に維持されるが、制御部２３から遮断信号ＳＢを受けた後は、遮断状態（電源ラインＬｂ２を遮断させる状態）となる。電源スイッチ２１１が導通状態のときには、電源部２２から電源挿入部２１２へ直流電力Ｅの供給がなされるが、電源スイッチ２１１が遮断状態のときには、当該供給は停止されることになる。
【００３３】
電源挿入部２１２は、電源スイッチ２１１を介して電源部２２へ接続されているとともに、入力端子ＴＡと出力端子ＴＢを結ぶ信号ラインＬｓ２上に介在するように設けられている。電源挿入部２１２は、電源部２２から供給される直流電力Ｅを信号ラインＬｓ２に重畳させ、端子ＴＡを介してカメラ１へ供給されるようにする。また電源挿入部２１２は、入力端子ＴＡ側から信号ラインＬｓ２を介してなされるＳＤＩ信号の伝送を、妨げないように構成されている。
【００３４】
フィルター２１３は、主にインピーダンスマッチング用のフィルターとして、信号ラインＬｓ２上の電源挿入部２１２と出力端子ＴＢの間に設けられている。カメラ１から入力端子ＴＡに入力されたＳＤＩ信号は、電源挿入部２１２、フィルター２１３、および出力端子ＴＢを順に介して、レコーダー３へ出力されることになる。
【００３５】
また信号ラインＬｓ２上の電源挿入部２１２とフィルター２１３の間には分岐点Ｐが設けられており、分岐点Ｐは、オペアンプ２１４を介してＳＤＩ信号検波回路２１５に接続されている。これにより、カメラ１から入力端子ＴＡに入力されたＳＤＩ信号は、オペアンプ２１４にも伝送される。
【００３６】
オペアンプ２１４は、分岐点Ｐ側から受けたＳＤＩ信号を一定の増幅度で増幅させて、ＳＤＩ信号検波回路２１５へ送出する。オペアンプ２１４の増幅度は、後述するＳＤＩ信号のレベル検出が適切になされるように設定されている。なおオペアンプ２１４は、ＳＤＩ信号を増幅させる機能を有した部品の一例であり、これに準じた機能を有する他の部品が代用されても構わない。
【００３７】
ＳＤＩ信号検波回路２１５は、ダイオードを用いたＳＤＩ信号の検波を行う回路である。ＳＤＩ信号検波回路２１５は、オペアンプ２１４から受けたＳＤＩ信号に検波の処理を施して、当該処理済みの信号を制御部２３に向けて送出する。
【００３８】
図４Ａは、ＳＤＩ信号検波回路２１５およびその周辺の回路構成の一例を示している。本図に示すようにＳＤＩ信号検波回路２１５は、高周波用の２個のダイオード（Ｄ１、Ｄ２）を有している。ダイオードＤ１は、アノードがオペアンプ２１４へ向くように、オペアンプ２１４と制御部２３を結ぶライン上に設けられている。またダイオードＤ２は、アノードが接地されており、カソードがダイオードＤ１のアノードに接続されている。なおダイオードＤ１のカソードは、平滑コンデンサＣを介して接地されている。
【００３９】
オペアンプ２１４から送出されたＳＤＩ信号は、ＳＤＩ信号検波回路２１５によって検波（整流）され、更に平滑コンデンサＣによって平滑化されることになる。このようにして得られた検波信号ＳＡは、ＳＤＩ信号検波回路２１５に入力されたＳＤＩ信号のレベルを表している。すなわち当該検波によって、ＳＤＩ信号のレベルが検出されることになる。なお当該検出されるＳＤＩ信号のレベル（以下、「検出信号レベル」と称する）の高低は、カメラ１からカメラドライブ２へ入力される段階におけるＳＤＩ信号のレベルの高低を反映している。
【００４０】
なおＳＤＩ信号検波回路２１５の具体的構成については、その趣旨を逸脱しない範囲において、種々の変形を加えることが可能である。例えば、ダイオードＤ２は検波をより精度良く行うために有効であるが、図４Ｂに示すように、ダイオードＤ２を省略しておくことも可能である。
【００４１】
［信号レベル監視動作］
既に説明した通りカメラドライブ２は、同軸ケーブル５を用いたカメラ１への電源供給、およびカメラ１からのＳＤＩ信号の入力受付を行う。そして更にカメラドライブ２は、各チャンネルの検出信号レベルを監視して、その結果に応じて所定処理を行う動作（以下、「信号レベル監視動作」と称する）を実行する。信号レベル監視動作の内容について、図５に示すフローチャートを参照しながら以下に説明する。
【００４２】
制御部２３は、各チャンネルの検波信号ＳＡに基づいて、各チャンネルの検出信号レベルを監視する（ステップＳ１１）。また制御部２３は、当該監視の実行中において、検出信号レベルが所定の基準レベルα１を下回ったチャンネルの有無を判別する（ステップＳ１２）。
【００４３】
基準レベルα１は、カメラ１から入力されるＳＤＩ信号のレベルが殆どゼロとなる状況に対応するように（すなわち、この状況では検出信号レベルが基準レベルα１を下回るように）、予め適切に設定されている。なおこのようにＳＤＩ信号のレベルが殆どゼロとなる状況としては、例えば、カメラ１の故障、カメラ１の誤接続、或いは同軸ケーブル５等の断線といった異常が生じた状況が想定される。
【００４４】
検出信号レベルが基準レベルα１を下回ったチャンネルが有ると判別された場合（ステップＳ１２のＹ）、制御部２３は、当該チャンネルの電源スイッチ２１１に遮断信号ＳＢを送出し、この電源スイッチ２１１を遮断状態とする（ステップＳ１３）。これにより以降は、当該チャンネルのカメラ１への電源供給が停止されることになる。
【００４５】
その後、制御部２３は、電源供給を停止したチャンネルを監視対象から除外した上で（ステップＳ１４）、ステップＳ１１の監視の動作を繰返す。例えばｃｈ３のカメラ１への電源供給を停止した場合、制御部２３は以降、ｃｈ３をステップＳ１１の監視の対象から除外し、ｃｈ１、ｃｈ２、およびｃｈ４の検出信号レベルを当該監視の対象とする。
【００４６】
上述した信号レベル監視動作が実行されることにより、何れかのチャンネルにおいて検出信号レベルが基準レベルα１を下回る場合（すなわち、カメラ１の故障等の異常が生じた場合）に、そのチャンネルのカメラ１への電源供給を停止させることが可能である。そのため、無駄な電源供給が行われないようにし、省電力や安全性を向上させることが可能である。
【００４７】
［検出信号レベルに応じた表示］
またカメラドライブ２は、各チャンネルの検出信号レベルに応じた表示動作を行う機能を有している。なおこの表示動作は、種々の形態で実行され得る。
【００４８】
上記表示動作の一例としては、各チャンネルの検出信号レベルが基準レベルα１を下回っているか否かを示すように、表示を行う例が挙げられる。この場合に表示部２４は、図６に例示するように、チャンネルごとにランプ２４１（例えばＬＥＤランプ）を有するように構成される。そして制御部２３は、何れかのチャンネルの検出信号レベルが基準レベルα１を下回った場合には、そのチャンネルのランプ２４１を点灯させるように表示部２４を制御する。この例によれば、ユーザは、どのチャンネルに異常が生じているかを一目で把握することが可能となる。
【００４９】
また上記表示動作の他の例としては、各チャンネルの検出信号レベルの数値を示すように、表示を行う例が挙げられる。この場合に表示部２４は、図７に例示するように、チャンネルごとに数値を表示することが可能なディスプレイ２４２（図７の例では、４チャンネル分の７セグメントＬＥＤディスプレイ）を有するように構成される。そして制御部２３は、各チャンネルの検出信号レベルの数値がリアルタイムに表示されるよう表示部２４を制御する。この例によれば、ユーザは、各チャンネルの検出信号レベルを詳細に知ることが可能となる。
【００５０】
なお遠隔監視システムＸにおいては、同軸ケーブル５が長いほど、カメラ１からカメラドライブ２への伝送に伴うＳＤＩ信号の減衰度合が大きくなり、その分だけ検出信号レベルは低くなる。このように同軸ケーブル５の長さと検出信号レベルには相関性があることから、検出信号レベルに基づいて、同軸ケーブル５の延長可能長さ（検出信号レベルが所定の下限値を下回らない範囲において、最大でどれだけの延長が可能であるか）を算出することが可能である。
【００５１】
そこで上記表示動作の更に他の例としては、各チャンネルにおける同軸ケーブル５の延長可能長さを示すように、表示を行う例が挙げられる。この場合にも表示部２４は、図７に例示するように、チャンネルごとに数値を表示することが可能なディスプレイ２４２を有するように構成される。そして制御部２３は、各チャンネルの検出信号レベルに基づいて同軸ケーブル５の延長可能長さを逐次算出し、各チャンネルの算出結果の数値がリアルタイムに表示されるよう表示部２４を制御する。この例によれば、ユーザは、各チャンネルの同軸ケーブル５の延長可能長さを知ることが可能となる。
【００５２】
２．第２実施形態
次に第２実施形態について説明する。なお第２実施形態は、検出信号レベルに応じてＳＤＩ信号を増幅させる点およびこれに関する点を除いて、基本的に第１実施形態と同様である。以下の説明では、第１実施形態と異なる点の説明に重点をおき、共通する点については説明を省略することがある。
【００５３】
図８は、第２実施形態における信号処理部２１およびその周辺の構成図である。本図に示すように信号処理部２１は、電源スイッチ２１１、電源挿入部２１２、フィルター２１３、オペアンプ２１４、およびＳＤＩ信号検波回路２１５を備えるとともに、増幅部２１６をも備えている。
【００５４】
増幅部２１６は、入力端子ＴＡと出力端子ＴＢを結ぶ信号ラインＬｓ２上に介在するように（図８の例では、分岐点Ｐとフィルター２１３の間に）設けられており、ＳＤＩ信号を増幅させる機能を有している。また増幅部２１６は、通常はオフ状態（増幅を行わない状態）に維持されるが、制御部２３からオン信号ＳＣを受けた後に、オン状態（増幅を行う状態）となる。
【００５５】
次に、第２実施形態における信号レベル監視動作の内容について、図９に示すフローチャートを参照しながら以下に説明する。
【００５６】
制御部２３は、各チャンネルの検波信号ＳＡに基づいて、各チャンネルの検出信号レベルを監視する（ステップＳ２１）。また制御部２３は、当該監視の実行中において、検出信号レベルが所定の基準レベルα２を下回ったチャンネルの有無を判別する（ステップＳ２２）。
【００５７】
基準レベルα２は、既に説明済みの基準レベルα１より高いレベルであり、増幅部２１６を用いたＳＤＩ信号の増幅が望ましい状況に対応するように（すなわち、この状況では検出信号レベルが基準レベルα２を下回るように）、予め適切に設定されている。なおこのようなＳＤＩ信号の増幅が望ましい状況とは、例えば、カメラ１から入力されるＳＤＩ信号が何らかの原因で弱まっており、増幅しておかなければ以降の処理に支障を来す虞のある状況が想定される。
【００５８】
検出信号レベルが基準レベルα２を下回ったチャンネルが有ると判別された場合（ステップＳ２２のＹ）、制御部２３は、当該チャンネルの検出信号レベルが更に基準レベルα１をも下回っているか否かに応じて、既定の動作を実行する。
【００５９】
より具体的に説明すると、当該チャンネルの検出信号レベルが基準レベルα１を下回っているときには（ステップＳ２３のＹ）、制御部２３は第１実施形態の場合と同様に、当該チャンネルの電源スイッチ２１１に遮断信号ＳＢを送出し、この電源スイッチ２１１を遮断状態とする（ステップＳ２４）。その後、制御部２３は、電源供給を停止したチャンネルを監視対象から除外した上で（ステップＳ２５）、ステップＳ２１の監視の動作を繰返す。
【００６０】
一方で、当該チャンネルの検出信号レベルが基準レベルα１を下回っていない場合には（ステップＳ２３のＮ）、制御部２３は、当該チャンネルの増幅部２１６へオン信号ＳＣを送出し、当該チャンネルの増幅部２１６をオン状態とする（ステップＳ２６）。これにより以降は、当該チャンネルのＳＤＩ信号は増幅部２１６によって増幅されることになる。その後、制御部２３は、ステップＳ２１の監視の動作を繰返す。
【００６１】
上述した信号レベル監視動作が実行されることにより、何れかのチャンネルにおいて検出信号レベルが基準レベルα１を下回る場合（すなわち、カメラ１の故障等の異常が生じた場合）に、そのチャンネルのカメラ１への電源供給を停止させることが可能である。そのため、無駄な電源供給が行われないようにし、省電力や安全性を向上させることが可能である。
【００６２】
また更に、何れかのチャンネルにおいて検出信号レベルが基準レベルα１以上であって基準レベルα２を下回る場合（すなわち、ＳＤＩ信号を増幅することが望ましい場合）に、増幅部２１６を用いてＳＤＩ信号を増幅することが可能である。なお増幅部２１６のゲイン（増幅度）は、ＳＤＩ信号のレベルが出来るだけ適切な状態となるように設定されている。
【００６３】
また増幅部２１６のゲインは、検出信号レベルに応じて調節される（具体的には、検出信号レベルが低いほど増幅度が高くなる）ようにしても良い。このようにすれば、ＳＤＩ信号を出来るだけ過不足なく増幅させ、ＳＤＩ信号のレベルをより適切な状態にすることが容易となる。
【００６４】
３．その他
以上に説明した通りカメラドライブ２（信号処理装置）は、同軸ケーブル５を介してＳＤＩ信号を出力するカメラ１（外部装置）に接続され、同軸ケーブル５を用いたカメラ１への電源供給、および、カメラ１からのＳＤＩ信号の入力受付を行う。またカメラドライブ２は、ダイオードを用いてＳＤＩ信号の検波を行うＳＤＩ信号検波回路２１５と、検出信号レベルに応じて電源供給を停止させる供給停止部（主に制御部２３や電源スイッチ２１１により構成される機能部）を備えている。
【００６５】
そのためカメラドライブ２は、ＳＤＩ信号検波回路２１５が行う検波によって検波信号ＳＡを得ることができ、ＳＤＩ信号のレベルを容易に検出することが可能である。これによりカメラドライブ２は、ＳＤＩ信号の監視のために比較的高価なＩＣ等を必要とせず、製造コストを抑えることが容易となっている。また更にカメラドライブ２は、検出信号レベルに応じて電源供給を停止させることから、ＳＤＩ信号の監視の結果を有効に活用することが可能である。
【００６６】
またカメラドライブ２は、複数のカメラ１に接続され、カメラ１ごとに電源供給およびＳＤＩ信号の入力受付を行うようになっており、更に、カメラ１ごとに対応するＳＤＩ信号検波回路２１５の各々が備えられている。そして供給停止部は、何れかのカメラ１に対応する検出信号レベルが基準レベルα１を下回った場合に、当該カメラ１に対応する電源供給を停止させる。
【００６７】
またカメラドライブ２は、検出信号レベルに応じた表示を行う表示部２４を備えている。そのためユーザは、当該表示を見ることにより、検出信号レベルに関する情報を知ることが可能である。また第２実施形態のカメラドライブ２は、検出信号レベルに応じてＳＤＩ信号を増幅させる増幅部２１６を備えている。そのため、ＳＤＩ信号のレベルを適切に増幅させることが容易となっている。
【００６８】
また本発明の構成は、上記実施形態のほか、発明の主旨を逸脱しない範囲で種々の変更を加えることが可能である。すなわち、上記実施形態は、全ての点で例示であって、制限的なものではないと考えられるべきである。本発明の技術的範囲は、上記実施形態の説明ではなく、特許請求の範囲によって示されるものであり、特許請求の範囲と均等の意味及び範囲内に属する全ての変更が含まれると理解されるべきである。
【符号の説明】
【００６９】
１      カメラ（外部装置）
１１    撮像部
１２    電源分離部
２      カメラドライブ（信号処理装置）
２１    信号処理部
２１１  電源スイッチ
２１２  電源挿入部
２１３  フィルター
２１４  オペアンプ
２１５  ＳＤＩ信号検波回路
２１６  増幅部
２２    電源部
２３    制御部
２４    表示部
２４１  ランプ
２４２  ディスプレイ
３      レコーダー
４      モニター
５      同軸ケーブル
Ｌｓ１  （カメラ１内の）信号ライン
Ｌｂ１  （カメラ１内の）電源ライン
Ｌｓ２  （カメラドライブ２内の）信号ライン
Ｌｂ２  （カメラドライブ２内の）電源ライン
ＴＡ    入力端子
ＴＢ    出力端子
Ｘ      遠隔監視システム（信号処理システム）
【図１】
2015065538.tif 000003
【図２】
2015065538.tif 000004
【図３】
2015065538.tif 000005
【図４Ａ】
2015065538.tif 000006
【図４Ｂ】
2015065538.tif 000007
【図５】
2015065538.tif 000008
【図６】
2015065538.tif 000009
【図７】
2015065538.tif 000010
【図８】
2015065538.tif 000011
【図９】
2015065538.tif 000012